【手続補正書】
【提出日】平成19年4月23日(2007.4.23)
【手続補正１】
【補正対象書類名】明細書
【補正対象項目名】特許請求の範囲
【補正方法】変更
【補正の内容】
【特許請求の範囲】
【請求項１】
軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、
前記撥油膜の主成分は、フッ素系樹脂またはシリコーン系樹脂であり、
前記撥油膜を、前記撥油膜が形成される前記軸部もしくは前記回転体と異なる色、または同色で濃淡の異なる色に有機顔料、無機顔料及び染料のいずれかの色剤で着色して識別可能となるよう構成した流体軸受装置。
【請求項２】
軸部とスリーブとの間に潤滑剤を充填し、前記潤滑剤の液界面付近の前記軸部もしくは前記スリーブに前記潤滑剤の漏洩を防止する撥油膜を形成した流体軸受装置であって、
前記撥油膜の主成分は、フッ素系樹脂またはシリコーン系樹脂であり、
前記撥油膜を、前記撥油膜が形成される前記軸部もしくは前記スリーブと異なる色、または同色で濃淡の異なる色に有機顔料、無機顔料及び染料のいずれかの色剤で着色して識別可能となるよう構成した流体軸受装置。
【請求項３】
軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、
前記撥油膜の表面に段差を形成した流体軸受装置。
【請求項４】
軸部とスリーブとの間に潤滑剤を充填し、前記潤滑剤の液界面付近の前記軸部もしくは前記スリーブに前記潤滑剤の漏洩を防止する撥油膜を形成した流体軸受装置であって、
前記撥油膜の表面に段差を形成した流体軸受装置。
【請求項５】
前記撥油膜を二層以上の多層構成として前記段差を形成した請求項３または請求項４に記載の流体軸受装置。
【請求項６】
軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、
前記撥油膜の主成分は、フッ素系樹脂またはシリコーン系樹脂であり、
前記撥油膜を二層以上の構成として段差を形成するとともに、各層を異なる色または同色で濃淡の異なる色に有機顔料、無機顔料及び染料のいずれかの色剤で着色した流体軸受装置。
【請求項７】
軸部とスリーブとの間に潤滑剤を充填し、前記潤滑剤の液界面付近の前記軸部もしくは、前記スリーブに前記潤滑剤の漏洩を防止する撥油膜を形成した流体軸受装置であって、
前記撥油膜の主成分は、フッ素系樹脂またはシリコーン系樹脂であり、
前記撥油膜を二層以上の構成として段差を形成するとともに、各層を異なる色または同色で濃淡の異なる色に有機顔料、無機顔料及び染料のいずれかの色剤で着色した流体軸受装置。
【請求項８】
前記有機顔料、無機顔料及び染料のいずれかの色剤は、フタロシアニン系有機顔料、キナクリドン系有機顔料、アジレーキ系有機顔料、アントラキノン系有機顔料、カーボンブラック、酸化チタン、酸化亜鉛、酸化鉛、酸化クロム、酸化鉄、リン酸コバルト、アントラキノン系染料、アゾ系化合物染料の少なくとも一つの成分である請求項１、請求項２、請求項６、請求項７のいずれか１つに記載の流体軸受装置。
【請求項９】
前記フッ素系樹脂は、エチレン―テトラフルオロエチレン共重合体（ＥＴＦＥ）、ポリフッ化ビニル（ＰＶＦ）、ポリフッ化ビニリデン（ＰＶＤＦ）、エチレン―クロロトリフルオロエチレン共重合体（ＥＣＴＦＥ）、ポリクロロトリフルオロエチレン（ＰＣＴＦＥ）、結晶性または非晶質のパーフルオロ樹脂、のうち少なくとも一つから成る請求項１、請求項２、請求項６、請求項７、請求項８のいずれか１つに記載の流体軸受装置。
【請求項１０】
前記シリコーン系樹脂は、ポリエーテル、アミン、エポキシ、アルキド、のうち少なくとも一つにより変性されたシリコーンレジンから成る請求項１、請求項２、請求項６、請求項７、請求項８のいずれか１つに記載の流体軸受装置。
【手続補正２】
【補正対象書類名】明細書
【補正対象項目名】００１４
【補正方法】変更
【補正の内容】
【００１４】
【発明の実施の形態】
本発明の請求項１記載の流体軸受装置は、軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、前記撥油膜の主成分は、フッ素系樹脂またはシリコーン系樹脂であり、前記撥油膜を、前記撥油膜が形成される前記軸部もしくは前記回転体と異なる色、または同色で濃淡の異なる色に有機顔料、無機顔料及び染料のいずれかの色剤で着色して識別可能となるよう構成したことを特徴とする。
本発明の請求項２記載の流体軸受装置は、軸部とスリーブとの間に潤滑剤を充填し、前記潤滑剤の液界面付近の前記軸部もしくは前記スリーブに前記潤滑剤の漏洩を防止する撥油膜を形成した流体軸受装置であって、前記撥油膜の主成分は、フッ素系樹脂またはシリコーン系樹脂であり、前記撥油膜を、前記撥油膜が形成される前記軸部もしくは前記スリーブと異なる色、または同色で濃淡の異なる色に有機顔料、無機顔料及び染料のいずれかの色剤で着色して識別可能となるよう構成したことを特徴とする。
【手続補正３】
【補正対象書類名】明細書
【補正対象項目名】００１６
【補正方法】変更
【補正の内容】
【００１６】
本発明の請求項３記載の流体軸受装置は、軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、前記撥油膜の表面に段差を形成したことを特徴とする。
本発明の請求項４記載の流体軸受装置は、軸部とスリーブとの間に潤滑剤を充填し、前記潤滑剤の液界面付近の前記軸部もしくは前記スリーブに前記潤滑剤の漏洩を防止する撥油膜を形成した流体軸受装置であって、前記撥油膜の表面に段差を形成したことを特徴とする。
【手続補正４】
【補正対象書類名】明細書
【補正対象項目名】００１７
【補正方法】変更
【補正の内容】
【００１７】
この構成によると、より高い潤滑剤の漏洩防止が得られる。
本発明の請求項５記載の流体軸受装置は、請求項３または４において、前記撥油膜を二層以上の多層構成として段差を形成したことを特徴とする。
【手続補正５】
【補正対象書類名】明細書
【補正対象項目名】００１８
【補正方法】変更
【補正の内容】
【００１８】
本発明の請求項６記載の流体軸受装置は、軸部と前記軸部によって回転自在に支持された回転体との間に潤滑剤を充填し、前記潤滑剤の液界面付近の前記軸部もしくは前記回転体に前記潤滑剤の漏洩を防止する撥油膜を形成した流体軸受装置であって、前記撥油膜の主成分は、フッ素系樹脂またはシリコーン系樹脂であり、前記撥油膜を二層以上の構成として段差を形成するとともに、各層を異なる色または同色で濃淡の異なる色に有機顔料、無機顔料及び染料のいずれかの色剤で着色したことを特徴とする。
本発明の請求項７記載の流体軸受装置は、軸部とスリーブとの間に潤滑剤を充填し、前記潤滑剤の液界面付近の前記軸部もしくは、前記スリーブに前記潤滑剤の漏洩を防止する撥油膜を形成した流体軸受装置であって、前記撥油膜の主成分は、フッ素系樹脂またはシリコーン系樹脂であり、前記撥油膜を二層以上の構成として段差を形成するとともに、各層を異なる色または同色で濃淡の異なる色に有機顔料、無機顔料及び染料のいずれかの色剤で着色したことを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
本発明の請求項８記載の流体軸受装置は、請求項１、請求項２、請求項６、請求項７のいずれか１つにおいて、前記有機顔料、無機顔料及び染料のいずれかの色剤は、フタロシアニン系有機顔料、キナクリドン系有機顔料、アジレーキ系有機顔料、アントラキノン系有機顔料、カーボンブラック、酸化チタン、酸化亜鉛、酸化鉛、酸化クロム、酸化鉄、リン酸コバルト、アントラキノン系染料、アゾ系化合物染料の少なくとも一つの成分であることを特徴とする。
この構成によると、撥油膜の樹脂成分を溶解するコーティング溶液への顔料の分散性や染料の溶解性に応じて添加する色剤の種類を選択でき、効率良く均一な着色が得られる。
本発明の請求項９記載の流体軸受装置は、請求項１、請求項２、請求項６、請求項７、請求項８のいずれか１つにおいて、前記フッ素系樹脂は、エチレン―テトラフルオロエチレン共重合体（ＥＴＦＥ）、ポリフッ化ビニル（ＰＶＦ）、ポリフッ化ビニリデン（ＰＶＤＦ）、エチレン―クロロトリフルオロエチレン共重合体（ＥＣＴＦＥ）、ポリクロロトリフルオロエチレン（ＰＣＴＦＥ）、結晶性または非晶質のパーフルオロ樹脂、のうち少なくとも一つから成ることを特徴とする。
本発明の請求項１０記載の流体軸受装置は、請求項１、請求項２、請求項６、請求項７、請求項８のいずれか１つにおいて、前記シリコーン系樹脂は、ポリエーテル、アミン、エポキシ、アルキド、のうち少なくとも一つにより変性されたシリコーンレジンから成ることを特徴とする。